【事件の表示】
　特許第３３０８１４０号「透過型スクリーン用レンチキュラーシート」の請求項１ないし３に係る特許に対する特許異議の申立てについて、次のとおり決定する。
【結　論】
　訂正を認める。
　特許第３３０８１４０号の請求項１ないし３に係る特許を取り消す。
【理　由】
１．手続の経緯
　特許第３３０８１４０号の請求項１−３に係る発明（以下、それぞれ「本件発明１」、「本件発明２」、「本件発明３」という）は、平成７年１０月２５日に特許出願され、平成１４年５月１７日にその発明について特許権の設定登録がなされ、その後、その特許について、特許異議申立人株式会社　ディスクにより特許異議の申立てがなされ、取消の理由が通知され、その指定期間内である平成１５年１１月４日に訂正請求がなされたものである。
　
２．訂正の可否についての判断
（１）訂正の内容
　特許権者が求めている訂正の内容は以下のａ乃至ｃのとおりである。
１）．訂正事項ａ
　請求項１において「各シリンドリカルレンズの集光作用に基づく非粘着部を除いた境界部に相当する位置に、転写によるストライプ状の遮光パターンが形成され、」とあるのを、
　「各シリンドリカルレンズの集光作用に基づく非粘着部を除いた境界部に相当する粘着部のみの位置に、転写紙から転写層を転移させることによりストライプ状の遮光パターンが形成され、」と訂正する。
　
２）．訂正事項ｂ
　明細書段落番号０００９に「各シリンドリカルレンズの集光作用に基づく非粘着部を除いた境界部に相当する位置に、転写によるストライプ状の遮光パターンが形成され、」とあるのを、「各シリンドリカルレンズの集光作用に基づく非粘着部を除いた境界部に相当する粘着部のみの位置に、転写紙から転写層を転移させることによりストライプ状の遮光パターンが形成され、」と訂正する。
 
３）．訂正事項ｃ
　明細書段落番号００２３における「黒色の転写層を転移させることに代えて、前記粘着部のみに黒色粉末トナーを付着させて遮光パターンを形成することも、」に記載を削除する。
　
 （２）訂正の目的の適否、新規事項の有無、及び特許請求の範囲の拡張・変更の存否
　上記訂正事項ａは、訂正前の請求項１の特許請求の範囲の減縮に該当し、また、請求項１について新規事項の追加に該当せず、また、実質上特許請求の範囲を拡張し、又は変更するものでもない。
　また、上記訂正事項ｂ，ｃは、上記訂正事項ａの訂正に伴って、発明の詳細な説明の記載を適合させるものであるから、明瞭でない記載の釈明を目的とする明細書の訂正に該当し、新規事項の追加に該当せず、また、実質上特許請求の範囲を拡張し、又は変更するものでもない。
 
（３）むすび
　以上のとおりであるから、上記訂正は、特許法第１２０条の４第２項ただし書、及び３項において準用する第１２６条第２，３項の規定に適合するので、当該訂正を認める。
　
３．特許異議申立てについての判断
（１）特許異議申立人　株式会社　ディスクは、本件発明１−３は、甲第１号証〜甲第６号証に記載された発明に基づいて、当業者が容易に発明をすることができたものであるので、本件発明１−３の特許は特許法第２９条第２項の規定に違反してなされたものであるから、当該特許は取り消されるべきものである旨主張している。
　
（２）本件発明
　上記２．で示したとおり、上記訂正は認められるから、本件発明１−３は、平成１５年１１月４日付けの訂正明細書の特許請求の範囲の請求項１−３に記載された次の事項により特定されるとおりのものである。
　
　請求項１
　フレネルレンズシートと組み合わせて透過型スクリーンを構成するレンチキュラーシートにおいて、透明支持体の片面に、凸シリンドリカルレンズが０．３ｍｍ以下の間隔で並設されてなるレンズ部が、放射線硬化性樹脂の硬化物により形成されており、前記支持体の他面である平坦な表面には、紫外線露光前に粘着性を有する紫外線感光性樹脂層を介して、前記紫外線感光性樹脂層の表面の、各シリンドリカルレンズの集光作用に基づく非粘着部を除いた境界部に相当する粘着部のみの位置に、転写紙から転写層を転移させることによりストライプ状の遮光パターンが形成され、前記遮光パターン上に拡散層が形成された構成である透過型スクリーン用レンチキュラーシート。
　
　請求項２
　拡散層上に、帯電防止機能を有するフィルムが積層された構成である請求項１記載の透過型スクリーン用レンチキュラーシート。
　
　請求項３
　拡散層上に、反射防止機能を有するフィルムが積層された構成である請求項１記載の透過型スクリーン用レンチキュラーシート。
　
（３）刊行物記載の発明
　当審が通知した取消しの理由に引用された甲第１号証である刊行物（特開平３−１２７０４１号公報）（以下、「刊行物１」という。）には次の事項が記載されている。
ア．「プロジェクションＴＶ等に用いられる透過形スクリーンは、レンチキュラーレンズシートと他のレンズシートとを組み合わせたものが多い。」（２頁左下欄３−５行）
　
イ．「第１図は、本発明による透過形スクリーンの第１の実施例の一部を抜き出して示した断面図である。この例の透過形スクリーン１は、ベースフィルム１１の光源側に第１のレンチキュラーレンズ部１２を複数平行に形成してあり、観察側の非集光面１１ｂに帯状の遮光層１３を形成してある。・・・第１のレンチキュラーレンズ部１２は、光源光を集光および拡散させるものであり、電離放射線硬化形樹脂により成形してある。電離放射性硬化形樹脂としては、例えば、エポキシ、ナイロン、ポリエステル、アクリル、ウレタンアクリレート等を用いることができ、透明性があることが望ましい。遮光層１３は、コントラストを向上させるために設けられており、第１のレンチキュラーレンズ部１２の非集光面１１ｂに帯状に形成してある。遮光層１３は、黒色の顔料等を分散したインキ等を用いて、ベースフィルム１１上に印刷することにより形成される。」（２頁右上欄１行−同左下欄１５行）
　
ウ．「最後に、製造例をあげて、製造工程に従い、さらに具体的に説明する。ベースフィルム１１として、厚さ１００μｍのＰＥＴフィルムを用いており、その表面にアクリルウレタン系のプライマーを塗布した。金型ロール３は、直径５００ｍｍ、幅５００ｍｍの大きさのものを用いており、その表面には、長径０．１６ｍｍ、短径０．１１ｍｍ、ピッチ０．２１ｍｍの楕円形状のレンチキュラーレンズ型が形成してある。」（６頁左下欄１３行−同右下欄２行）
　
　したがって、刊行物１には、第１図も参照すると、
「他のレンズシートと組み合わせて透過型スクリーンを構成するレンチキュラーレンズシートにおいて、ベースフィルム１１の光源側に、第１のレンチキュラーレンズ部１２を、複数平行に形成してあり、平坦な表面である観察側の、非集光面１１ｂに帯状の遮光層１３を形成してあり、第１のレンチキュラーレンズ部１２は電離放射線硬化形樹脂により形成されたピッチ０．２１ｍｍの楕円形状のレンチキュラーレンズである透過型スクリーン用レンチキュラーシート。」（以下、「刊行物１発明」という。）が記載されている。
　
 また、同じく甲第２号証である刊行物（特開平４−３４０５３４号公報）（以下、「刊行物２」という。）には次の事項が記載されている。
エ．「従来、透過形スクリーンの構成としては図４の投射型テレビジョン受像機に示すように、赤色発光ＣＲＴ１１、緑色発光ＣＲＴ１２、青色発光ＣＲＴ１３および赤色光投射レンズ１４、緑色光投射レンズ１５、青色光投射投射レンズ１６の前面にフレネルレンズ１７とレンチキュラーレンズシート１８とを重ねて配置した構成のものが用いられている。」（３頁左欄４３−４９行）
　
オ．「図１は本発明の第一の実施例の透過形スクリーン用レンチキュラーレンズシートの断面図を示す。図１において、レンチキュラーレンズシート１０は、入射光側となるスクリーン基材１の一方の主平面にレンチキュラーレンズ２を形成している。そして、もう一方の出射光側主平面にフィルムシート３を一体的に積層・接着してなるものである。フィルムシート３はスクリーン基材１と屈折率が近似しているか同一部材たとえば透明アクリル樹脂などで厚さ寸法１００〜２００μｍ程度に構成するとともに、着色したり内部に所定の光拡散材５例えば粒径３μｍ程度の顔料・微細シリカ・アルミナ・ガラスビーズなどを２〜３重量％混入している。さらにフィルムシート３は出射光側表面に帯電防止用の透明電極層４たとえば酸化錫被膜や酸化インジューム被膜を表面抵抗率１．０×１０13　Ω以下となるよう膜厚寸法を所定に例えば０．１〜０．０１μｍ程度にコーティングしてなるものである。」（３頁右欄４８行−４頁左欄１４行）
　
 また、同じく甲第３号証である刊行物（特開平７−２４８５３７号公報）（以下、「刊行物３」という。）には次の事項が記載されている。
カ．「本発明の透過型スクリーン２００は光入射光側にフレネルレンズシート１を、該前面に透明なレンチキュラーレンズシートを２を、観察者に最も近い出射光側に、光拡散性微粒子（拡散材）８を含む薄型拡散層９と、透明層１０との２層からなる前面拡散パネル３とを配置した３枚構成としている。」（３頁右欄３６−４１行）
　
 キ．「第３の実施例は、外光コントラストの改善、写り込みの防止、ホコリやゴミの付着のない鮮明な画像を目的とし、帯電防止処理と反射防止処理を同時に対策したことを特徴とする。即ち、第一の実施例または第二の実施例において、フレネルレンズシートの光入射光側平面と、拡散パネルの観察者に最も近い主平面側とに帯電防止膜３２を形成することにより、静電気によるホコリやゴミ付着を防止する。さらに、第一の実施例または第二の実施例において、フレネルレンズシートと、レンチキュラレンズシートと、拡散パネルの内、少なくとも一つの構成部材に反射防止膜３３を塗布、乾燥させることにより、外光コントラストの改善と、写り込みのない画像を得ることを特徴とする。まず、帯電防止膜３２を前述のごとくフレネルレンズシート１Ｂと拡散パネル３Ｂの所定表面に形成する。次に、該帯電防止膜３２に重ねて反射防止膜３３を少なくとも一つの構成部材に形成する。上記構成により摩擦や電荷による静電気が発生しても、反射防止膜３３の表面に静電気による帯電を防止できる特徴を有している。」（６頁左欄３−２１行）
　
  また、同じく甲第５号証である刊行物（特開昭５０−１３６０２８号公報）（以下、「刊行物４」という。）には次の事項が記載されている。
ク．「図面により本発明を説明すれば、第１図に示す如く、透明なレンチキュラースクリーン（１）の裏面に感光性樹脂を回転塗布機等で均一に塗布し、感光性樹脂層（２）を設け、次にレンチキュラー・スクリーン（１）側より露光し、レンチキュラー・スクリーン（１）のレンズ効果により集光された光を受けた感光性樹脂層に潜像を形成し、現像液により感光性樹脂ストライプパターンを形成する。次に該感光性樹脂ストライプ黒色染色液を用いて染色し、黒色のストライプパターン（３）を形成し、該ストライプパターン（３）上にクリヤラッカー等をスプレー等で均一に吹付けて塗布層（４）を設け、さらに必要に応じて塗布層（４）の表面をボール研磨あるいはサンドブラスト法等の表面研磨法で処理し、粗面化してなるものである。」（１頁右下欄１０行−２頁左上欄４行）
　
  また、同じく特開昭５９−１２１０３３号公報（以下、「刊行物５」という。）には次の事項が記載されている。
ケ．「本発明はレンチキュラーレンズ又はモザイク状レンズ等より成る透過形投射スクリーンの観察面側にポジ形感光性粘着剤、即ち感光することで粘着性が消失する粘着剤を配設し、この粘着剤面と反対面より投射光源又はこれと同等の開口を有する光源から投射した光線で該粘着剤を露光し、上記レンズ系の各単位レンズの集光部の粘着性を失わせた後、観察面上から遮光性トナーを散布し、粘着性の残っている未露光部分に粘着させ、露光により粘着性のなくなった部分に付着しただけのトナー及び余剰のトナーを除去することにより、ウエットプロセスを必要とせず容易かつ安価に遮光性に優れたパターンを形成した透過形投射スクリーンを得るものである。」（２頁左下欄１３行−同右下欄６行）
　
コ．「露光用光源としては３６５ｎｍ付近の紫外線を多量に含むものであれば良く」（３頁右上欄１０−１３行）
　
（４）本件発明１の特許について
　上記認定事項から、刊行物１発明における「ベースフィルム１１」は、本件発明１の「透明支持体」に、以下、同様に「光源側」は「片面」に、「複数平行に形成」は「並設」に、「楕円形状のレンチキュラーレンズ」は「凸シリンドリカルレンズ」に、「電離放射線硬化形樹脂により形成」は「放射線硬化性樹脂の硬化物により形成」に、「観察側」は「他面」に、「非集光面１１ｂ」は「境界部」に、「帯状の遮光層１３」は「ストライプ状の遮光パターン」にそれぞれ相当するから、両者は、
「レンズシートと組み合わせて透過型スクリーンを構成するレンチキュラーシートにおいて、透明支持体の片面に、凸シリンドリカルレンズが並設されてなるレンズ部が、放射性硬化性樹脂の硬化物により形成されており、前記支持体の他面である平坦な表面には、境界部にストライプ状の遮光パターンが形成された透過型スクリーン用レンチキュラーシート。」
である点で一致し、以下の４点で相違する。
　
相違点１；本件発明１が、フレネルレンズシートと組み合わせて透過型スクリーンを構成するレンチキュラーシートであるのに対し、刊行物１発明が、組み合わせるレンズシートをフレネルレンズに限定していない点。
　
相違点２；本件発明１が、凸シリンドリカルレンズが０．３ｍｍ以下の間隔で並設されているのに対し、刊行物１発明には係る限定が付されていない点。
　
相違点３；本件発明１が、ストライプ状の遮光パターンを、紫外線露光前に粘着性を有する紫外線感光性樹脂層を介して、前記紫外線感光性樹脂層の表面の、各シリンドリカルレンズの集光作用に基づく非粘着部を除いた境界部に相当する粘着部のみの位置に、転写紙から転写層を転移させることにより形成したのに対し、刊行物１発明がそのような構成を採用していない点。
　
相違点４；本件発明１が、遮光パターン上に拡散層が形成されているのに対し、刊行物１発明がそのような構成を採用していない点。
　
　以下、相違点について検討する。
相違点１；フレネルレンズとレンチキュラーシートとを組み合わせて透過型スクリーンを構成することは、刊行物２、３に記載されているように従来周知の技術であり、刊行物１発明において、組み合わせるレンズシートをフレネルレンズとすることは当業者にとって容易である。
　
相違点２；上記刊行物１発明は、ピッチ０．２１ｍｍの間隔で凸シリンドリカルレンズを並設しており、これは本件発明１の０．３ｍｍ以下の間隔に含まれている。また、０．３ｍｍ以下の数値範囲に臨界的意義があるとすることもできないので、刊行物１発明において、凸シリンドリカルレンズを０．３ｍｍ以下の間隔で並設することは当業者が容易に想到しえたものというべきである。
　
相違点３；刊行物５には、レンチキュラーレンズより成る透過型投射スクリーンの観察面側に感光することで粘着性が消失する粘着剤を配設し、この粘着剤面と反対面より投射光源から投射した光線で該粘着剤を露光し、上記レンズ系の各単位レンズの集光部の粘着性を失わせた後、観察面上から遮光性トナーを散布し、粘着性の残っている未露光部分に粘着させ、露光により粘着性のなくなった部分に付着しただけのトナー及び余剰のトナーを除去することにより、遮光性に優れたパターンを形成すること（上記記載事項ケ参照）、また、光源として紫外線を多量に含むものを用いること（上記記載事項コ参照）、が開示されている。また、転写紙から転写層を転移させることによりストライプ状の遮光パターンを形成することは従来周知の技術であり（例えば、特開平４−１５６４４１号公報参照）、刊行物１発明において、刊行物５に記載された技術事項及び当該周知技術を適用し、「ストライプ状の遮光パターンを、紫外線露光前に粘着性を有する紫外線感光性樹脂層を介して、前記紫外線感光性樹脂層の表面の、各シリンドリカルレンズの集光作用に基づく非粘着部を除いた境界部に相当する粘着部のみの位置に、転写紙から転写層を転移させることにより形成する」ことは、当業者にとって容易である。
　
相違点４；遮光パターン上に拡散層を形成することは刊行物４に開示されており（上記記載事項ク参照）、上記刊行物１発明において、上記刊行物４に記載された技術事項を適用することは、当業者にとって容易である。
　
　そして、本件発明１の作用効果も、刊行物１〜５及び周知技術から当業者が予測できる範囲内のものである。
　
　したがって、本件発明１は、刊行物１〜５に記載された発明、および周知技術に基づいて当業者が容易に発明することができたものであるから、本件発明１の特許は、特許法第２９条第２項の規定に違反してされたものである。
　
　（５）本件発明２の特許について
　本件発明２は、本件発明１に「拡散層上に、帯電防止機能を有するフィルムが積層された構成」を付加したものである。
　
　上記付加された構成について検討すると、拡散層上に帯電防止機能を有する膜を積層することは、刊行物３に開示されており（上記記載事項キ参照）、積層させるものとして、膜に替えてフィルムを採用することは当業者が適宜選択可能な設計上の事項にすぎず、刊行物１発明において、当該刊行物３に記載された技術事項を適用し、「拡散層上に、帯電防止機能を有するフィルムを積層」することは当業者にとって容易である。
  
　そして、本件発明２の作用効果も、刊行物１〜５及び周知技術から当業者が予測できる範囲内のものである。
　
　したがって、本件発明２は、刊行物１〜５に記載された発明、および周知技術に基づいて当業者が容易に発明することができたものであるから、本件発明２の特許は、特許法第２９条第２項の規定に違反してされたものである。
　
 （６）本件発明３の特許について
　本件発明３は、本件発明１に「拡散層上に、反射防止機能を有するフィルムが積層された構成」を付加したものである。
　
　上記付加された構成について検討すると、拡散層上に反射防止機能を有する膜を積層することは、刊行物３に開示されており（上記記載事項キ参照）、積層させるものとして、膜に替えてフィルムを採用することは当業者が適宜選択可能な設計上の事項にすぎないから、刊行物１発明において、当該刊行物３に記載された技術事項を適用し、「拡散層上に、反射防止機能を有するフィルムを積層」することは当業者にとって容易である。
  
　そして、本件発明３の作用効果も、刊行物１〜５及び周知技術から当業者が予測できる範囲内のものである。
　
　したがって、本件発明３は、刊行物１〜５に記載された発明、および周知技術に基づいて当業者が容易に発明することができたものであるから、本件発明３の特許は、特許法第２９条第２項の規定に違反してされたものである。
　
４．むすび　
　以上のとおりであるから、本件発明１−３の特許は、特許法第２９条第２項の規定により特許を受けることができない。
  したがって、本件発明１−３についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の施行に伴う経過措置を定める制令（平成７年政令第２０５号）第４条第２項の規定により、結論のとおり決定する。
【異議決定日】
平成１６年２月３日（２００４．２．３）
【訂正の要旨】
審決（決定）の【理由】欄参照。
（５４）【発明の名称】
透過型スクリーン用レンチキュラーシート
（５７）【特許請求の範囲】
　【請求項１】フレネルレンズシートと組み合わせて透過型スクリーンを構成するレンチキュラーシートにおいて、
透明支持体の片面に、凸シリンドリカルレンズが０．３ｍｍ以下の間隔で並設されてなるレンズ部が、放射線硬化性樹脂の硬化物により形成されており、
前記支持体の他面である平坦な表面には、紫外線露光前に粘着性を有する紫外線感光性樹脂層を介して、前記紫外線感光性樹脂層の表面の、各シリンドリカルレンズの集光作用に基づく非粘着部を除いた境界部に相当する
粘着部のみの
転写紙から転写層を転移させることにより
前記遮光パターン上に拡散層が形成された構成である透過型スクリーン用レンチキュラーシート。
　【請求項２】拡散層上に、帯電防止機能を有するフィルムが積層された構成である請求項１記載の透過型スクリーン用レンチキュラーシート。
　【請求項３】拡散層上に、反射防止機能を有するフィルムが積層された構成である請求項１記載の透過型スクリーン用レンチキュラーシート。
【発明の詳細な説明】
　【０００１】
　【発明の属する技術分野】
　本発明は、フレネルレンズシートと組み合わせて、液晶プロジェクションテレビに使用する透過型スクリーンを構成するレンチキュラーシートに関し、特に、片面のみにレンズ部が形成された簡便な構成であり、凸シリンドリカルレンズ（半円柱状凸レンズ）が並設されてなるレンズ部のファインピッチ化（微細化）が可能であると共に、製造の容易なレンチキュラーシートに関する。
　【０００２】
　【従来の技術】
　透過型スクリーンは、一般にフレネルレンズシートとレンチキュラーシートとの組み合わせよりなり、そのレンチキュラーシートは、図３に示すように、両面に凸シリンドリカルレンズ面が形成され、片面（映像光の出射側）の各シリンドリカルレンズの境界部には突起が形成され、突起の上部には遮光層（光吸収性の黒色ストライプ）が形成された構成であるのが一般的である。
　【０００３】
　表裏に凸シリンドリカルレンズ面が形成されているのは、プロジェクタ（光源）が３管式のＣＲＴ方式の場合、入射側のレンズで３色のズレを補正する必要があるためである。
　【０００４】
　近年、液晶プロジェクションテレビが普及し、その映像を観察するための透過型スクリーンが要求されている。映像画質の高精細化に伴い、液晶プロジェクターの画素数も増大していることから、レンチキュラーシートに対してもシリンドリカルレンズのファインピッチ化が要求されている。具体的には、現状の０．７ｍｍ前後から０．３ｍｍ以下のファインピッチ化が要求されている。
　【０００５】
　レンチキュラーシートは、透明な熱可塑性樹脂シートに対してプレス成型を行なったり、溶融押し出しと同時に両面成型を行なうことにより得られているのが現状であるが、熱可塑性樹脂に対する各種の成型法では、上記のファインピッチ化が非常に困難である。その理由は、熱成型後の冷却時に温度の不均一が生じ、成型物に反りが発生したり、熱収縮の不均一が発生するというプラスチック特有の熱戻り現象に起因するためである。
　【０００６】
　ファインピッチなレンズシートを成型するのに好適な製造方法として、紫外線（または、電子線）硬化性樹脂を用いた各種の成型方法が公知であり、以下に例示する提案が代表される。
　【０００７】
　▲１▼特開昭６１−１７７２１５号公報フレネル金型と透明樹脂板との隙間に紫外線硬化性樹脂を注入して、紫外線を照射することにより、透明樹脂板と、この透明樹脂板に重合接着され、かつ反透明樹脂板側にフレネルレンズ面を有する紫外線硬化性樹脂とを備えてなるフレネルレンズ（およびその製造方法）。
　【０００８】
　▲２▼特開昭６３−１３４２２７号公報フレネル金型に紫外線（電子線）硬化性樹脂を塗布した後、前記樹脂にフィルムを脱泡しながらラミネートし、紫外線（電子線）を照射して成型後、フィルム（および樹脂）を離型した後、透明基板と一体化する。
　【０００９】
　上記提案に代表される、紫外線（電子線）硬化性樹脂を用いた成型方法では、レンチキュラーと比較して複雑な形状のフレネルレンズシートの製造を目的としているものが殆どであり、透過型スクリーン用のレンチキュラーシートの製造に関する提案はなされていないのが現状である。
　【００１０】
　【発明が解決しようとする課題】
　本発明は、高精細・高画質の液晶プロジェクションテレビの観察に好適な、ファインピッチなレンズ部を有すると共に、そのレンズ部に対応するさらにファインピッチな遮光パターンの形成された精密な構成でありながら、製造の容易なレンチキュラーシートを提供することを課題とする。
　【００１１】
　請求項１に記載の発明は、フレネルレンズシートと組み合わせて透過型スクリーンを構成するレンチキュラーシートにおいて、透明支持体の片面に、凸シリンドリカルレンズが０．３ｍｍ以下の間隔で並設されてなるレンズ部が、放射線硬化性樹脂の硬化物により形成されており、前記支持体の他面である平坦な表面には、紫外線露光前に粘着性を有する紫外線感光性樹脂層を介して、前記紫外線感光性樹脂層の表面の、各シリンドリカルレンズの集光作用に基づく非粘着部を除いた境界部に相当する
粘着部のみの
転写紙から転写層を転移させることにより
　【００１２】
　請求項２に記載の発明は、拡散層上に、帯電防止機能を有するフィルムが積層された構成の請求項１記載の透過型スクリーン用レンチキュラーシートである。
　【００１３】
　請求項３に記載の発明は、拡散層上に、反射防止機能を有するフィルムが積層された構成の請求項１記載の透過型スクリーン用レンチキュラーシートである。
　【００１４】
　【作用】
　紫外線（電子線）硬化性樹脂を用いることによって、熱可塑性樹脂による成型品では実現不可能なファインピッチ化が可能であり、最小ピッチ５０μｍまでの微細なピッチのレンチキュラーシートを作製することができる。
　【００１５】
　また、既存のレンチキュラーシートでは、観察時の視野角度を拡げるために、ＳｉＯ２，Ａｌ２Ｏ３，ＣａＣＯ３などの無機質粉末をレンチキュラーシートに混入させたり、上記粉末を練り込んだ拡散フィルム、または、上記粉末を結合剤と混合し塗料としたものを塗布した拡散フィルムを、レンチキュラーシートの表面に積層するなどしている。何れの場合においても、遮光パターン（ブラックストライプ）は、拡散層上に形成されており、外側に露出して傷が付き易いという問題がある。本発明の構成とすることにより、ファインピッチな遮光パターンが拡散層により保護され、傷が付くことを防止できる。
　【００１６】
　拡散層上に、帯電防止機能または反射防止機能を有するフィルムが積層された構成（請求項２，３）とすることにより、レンチキュラーシートの使用時にそれぞれの機能を発揮すると共に、拡散層を保護する役目を果たすことになる。
　【００１７】
　【発明の実施の形態】
　図面を参照して、本発明を詳細に説明する。
　（ａ）製造装置…図２参照図２は、レンチキュラーシートの連続製造装置を示す。この製造装置は、ロールから供給される支持体フィルム（１）に紫外線硬化性樹脂を塗布する塗布装置（２）、表面にレンチキュラーレンズの逆形状が形成されたレンズ成型用ロ−ル（３）、加圧用ロール（３’）、紫外線照射装置（４）、レンチキュラーレンズが形成された支持体フィルムの反レンズ側にロールから供給される紫外線感光性樹脂フィルム（６）を積層するラミネート用ロール対（５，５’）、紫外線照射装置（９）、ロールから供給される転写紙（１１）にて黒色の転写層を形成するためのラミネート用ロール対（１０，１０’）、ロールから供給される拡散フィルム（１４）を積層するラミネート用ロール対（１３，１３’）、ロールから供給される帯電防止機能または反射防止機能を有する透明樹脂フィルム（１６）を積層するラミネート用ロール対（１５，１５’）などが配設された構成である。
　【００１８】
　（ｂ）製造方法上記の製造装置を使用して、以下のプロセスでレンチキュラーシートを作製する。支持体フィルム（１）としては、紫外線透過性を有する透明な樹脂フィルムが好ましく、レンズ部の形成される側に紫外線硬化性樹脂の易接着処理が施されてあることが一層好ましい。材質としては、ポリエチレンテレフタレート（ＰＥＴ）、ポリカーボネート（ＰＣ）、ポリ塩化ビニル（ＰＶＣ）などが使用される。
　【００１９】
　紫外線硬化性樹脂の塗布装置（２）は、特に限定されるものではないがドクターブレード，ダイコートなどの塗布装置が望ましい。支持体フィルム（１）の片面への紫外線硬化性樹脂の塗布厚は、形成するレンチキュラーレンズの形状によって異なるが、０．１ｍｍ〜０．２ｍｍが適当である。なお、塗布厚は、樹脂の粘度や支持体フィルムの送り速度などによって調整することができる。
　【００２０】
　次に、紫外線硬化性樹脂が塗布形成された支持体フィルムを、レンチキュラー成型用ロール対（３，３’）間に通し、レンズ成型用ロール（３）の形状を紫外線硬化性樹脂に転写すると同時に、紫外線照射装置（４）からの紫外線照射により樹脂を硬化させる。レンチキュラーレンズの逆形状が表面に形成されたレンズ成型用ロール（３）は、切削加工された金属型や前記金属型から所定の方法により複製した樹脂製型を、ロール表面に配設するなどして得ることができる。
　【００２１】
　次いで、紫外線硬化性樹脂からなるレンチキュラーレンズが形成された支持体フィルムをラミネート用ロール対（５，５’）に供給し、前記支持体フィルムの反レンズ側に、ロールから供給される紫外線感光性樹脂フィルム（６）をラミネートする。
　【００２２】
　ファインピッチなシリンドリカルレンズの境界部に相当する位置に遮光パターンを形成する方法については、本出願人による特願平７−２１０７２３号において提案されている。上記提案は、感光性樹脂の露光部と非露光部とでの粘着性の有無の違いを利用して、レンズ部側からの露光により、背面に形成した感光性樹脂層の粘着性を有する部分に遮光処理を施すというものである。
　【００２３】
　本発明においても、上記提案の原理を利用して、レンチキュラーシートの平坦面に遮光パターンを形成する。紫外線感光性樹脂フィルム（６）としては、紫外線露光部が反応により非粘着性となり、未露光部が粘着性である特性を示すことが好ましい。上記の紫外線感光性樹脂フィルムとしては、例えばクロマリンフィルム（商品名；デュポン製）が用いられ、１１０℃に加熱されたラミネート用ロール対（５，５’）を通して、支持体フィルムの反レンズ側にラミネートする。次いで、紫外線照射装置（９）から紫外線を照射することによって、レンチキュラーレンズの集光作用に基づく集光部・非集光部に対応する非粘着部・粘着部を紫外線感光性樹脂フィルムに形成し、前記フィルムから表面の保護フィルムを剥離した後（図示せず）、ラミネート用ロール対（１０，１０’）に通すことによって、ロールから供給される転写紙（１１）から前記粘着部のみに黒色の転写層を転移させ、遮光パターンを形成する。遮光パターンの加圧転写には、例えばクロマリンインキフォイル（商品名；デュポン製）などが用いられ、遮光パターン（ブラックストライプ）の線幅は、紫外線の露光量やフィルムの送り速度によって調整することができる。なお、紫外線感光性樹脂フィルムのラミネートに代えて、液状の紫外線感光性樹脂を塗布形成すること
も、本
　【００２４】
　次いで、遮光パターンを含む全面に、ロールから供給される拡散フィルム（１４）をラミネート用ロール対（１３，１３’）によって積層する。拡散フィルム（１４）としては、例えばＹＳ３００（商品名；ソマール工業（株）製）などがを用いられ、レンチキュラーシートにラミネートされる側に粘着加工を施すことで常温で積層することができる。
　【００２５】
　最後に、目的に応じて、帯電防止機能または反射防止機能を付与した透明樹脂フィルム（１６）を、ラミネート用ロール対（１５，１５’）に通してラミネートする。帯電防止機能を有する透明樹脂フィルム（１６）としては、非イオン系，アニオン系，カチオン系の界面活性剤をフィルムに練り込む方法や、上記界面活性剤を結合剤と混合しフィルム表面に塗布する方法、導電性付与物質（例えば、酸化錫をドープした酸化インジウム）をフィルム表面に真空蒸着し導電膜を形成する方法、などによって得ることができる。反射防止機能を有する透明樹脂フィルム（１６）としては、ＳｉＯ２，Ａｌ２Ｏ３，ＣａＣＯ３などの無機質粉末を結合剤と混合し塗料としたものをフィルム表面に塗布し、表面を粗面化したノングレアフィルムを積層することによって得ることができる。以上説明したようにして、図１の断面説明図に示す構成のレンチキュラーシートが作製される。
　【００２６】
　【発明の効果】
　高精細・高画質の液晶プロジェクションテレビの観察に好適な、ファインピッチなレンズ部を有すると共に、そのレンズ部に対応するさらにファインピッチな遮光パターンの形成された精密な構成のレンチキュラーシートが提供され、液晶プロジェクションテレビ向けの透過型スクリーンに要求されている０．３ｍｍ以下のファインピッチのレンチキュラーシートが容易に作製できる。
　【００２７】
【図面の簡単な説明】
　【図１】本発明のレンチキュラーシートを示す断面説明図。
　【図２】レンチキュラーシートの連続製造装置を示す説明図。
　【図３】従来のレンチキュラーシートを示す断面説明図。
　【符号の説明】
　２１…レンズ部
　２２…透明支持体
　２３…遮光パターン
　２４…拡散層
　２５…透明樹脂フィルム
　３０…レンチキュラーシート